(57)【要約】【課題】簡易な構成により、外付け電話機からの発呼信号と外線からの呼出信号とを確実に判別できる外付け電話機付きファクシミリ装置を提供する。【解決手段】外線からの呼出信号を検出する着呼検出器ＣＩと、ダイヤルトーンを検出するダイヤルトーン検出器ＴＤとを電話回線Ｌに設けるとともに、オフフック検出器ＯＨ、着呼検出器ＣＩ、ダイヤルトーン検出器ＴＤとを監視して、主回線リレーＣＭＬを制御する制御手段１とを設けて成り、制御手段１は、オフフック信号を検出した後、所定時間の間は、ダイヤルトーン信号、オフフック信号の連続的寸断の有無を検出し、その間にダイヤルトーン信号を検出したときには、その後にオフフック信号の連続的寸断を検出すると、外付け電話機ＴＥＬによるダイヤル発呼動作と判断する一方、その間にダイヤルトーン信号を検出せずに、オフフック信号の連続的寸断を検出すると、外線からの呼出と判断する。【選択図】図１
2006270153.tif 000002
【特許請求の範囲】
【請求項１】
主回線リレーを介してモデムを接続した電話回線に、オフフック検出器を設けた外付け電話機を並列に付加接続したファクシミリ装置において、
外線からの呼出信号を検出する着呼検出器と、ダイヤルトーンを検出するダイヤルトーン検出器とを上記電話回線に設けるとともに、上記オフフック検出器、上記着呼検出器、上記ダイヤルトーン検出器と監視して、上記主回線リレーを制御する制御手段とを設けて成り、
上記制御手段は、オフフック信号を検出した後、所定時間の間は、ダイヤルトーン信号、オフフック信号の連続的寸断の有無を検出し、
その間にダイヤルトーン信号を検出したときには、その後にオフフック信号の連続的寸断を検出すると、上記外付け電話機によるダイヤル発呼動作と判断する一方、その間にダイヤルトーン信号を検出せずに、オフフック信号の連続的寸断を検出すると、外線からの着呼と判断する、外付け電話機付きファクシミリ装置。
【請求項２】
請求項１において、
上記外付け電話機と上記電話回線との間には、回線切換リレーを更に設けており、
上記制御手段は、外線からの着呼と判断したときには、上記主回線リレーを閉じて、電話回線をモデムに接続する一方、上記回線切換リレーを開いて、外付け電話機を上記電話回線から切断するようにしている、外付け電話機付きファクシミリ装置。
【請求項３】
請求項１、２のいずれかにおいて、
上記オフフック検出器、着呼検出器、ダイヤルトーン検出器は、いずれも交流信号を受けて駆動するフォトカプラで構成されている、外付け電話機付きファクシミリ装置。
【発明の詳細な説明】
【技術分野】
【０００１】
本発明は、電話機を外付けしたファクシミリ装置の改良に関するものである。
【背景技術】
【０００２】
従来より、ファクシミリ装置に外付けの電話機を接続した外付け電話機付きのファクシミリ装置が知られている。
【０００３】
図３は、この種の外付け電話機付きのファクシミリ装置の基本構成を示しており、主制御部１０１、モデム１０２を備えた本体部１００は、主回線リレーＣＭＬを介して電話回線Ｌに接続されており、この電話回線Ｌに回線切換リレーＳＷを介して、外付け電話機ＴＥＬをオフフック検出器ＯＨとともに接続しており、更に電話回線Ｌに並列して着呼検出器ＣＩを接続付加した構成にしている。次の特許文献には、電話機を外付けしたファクシミリ装置が開示されている。
【特許文献１】特開平６−７００８４号公報
【発明の開示】
【発明が解決しようとする課題】
【０００４】
ところで、この種の外付け電話機付きファクシミリ装置では、電話回線Ｌからの１６Ｈｚの呼出信号を着呼検出器ＣＩで検出しているが、外付け電話機ＴＥＬで通話を行う場合に、ダイヤル発呼による出力させるダイヤルパルスが１０Ｈｚまたは２０Ｈｚであり、この呼出信号と周波数が接近しているため、外線からの呼出信号と誤判断し、モデム１０２を自動着信させて、主回線リレーＣＭＬを閉じ、回線切換リレーＳＷを開いて外付け電話機ＴＥＬを電話回線Ｌから切り離すことがある。
【０００５】
そのため、このような問題を解決するために、主制御部１０１では、オフフック検出器ＯＨによる検出も条件に加えて、ダイヤルパルス信号と呼出信号との判別を行っているものも存在するが、電話回線Ｌに接続される外付け電話機ＴＥＬの数が多い場合には、オフフック検出器ＯＨも外付け電話機ＴＥＬが出力させたダイヤルパルス信号を呼出信号と誤判断することがあった。
【０００６】
本発明は、このような問題を解決すべく提案されたもので、その目的は、簡易な構成により、外付け電話機からの発呼信号と外部からの着呼信号とを確実に判別できる外付け電話機付きファクシミリ装置を提供することにある。
【課題を解決するための手段】
【０００７】
請求項１に記載の外付け電話機付きファクシミリ装置は、主回線リレーを介してモデムを接続した電話回線に、オフフック検出器を設けた外付け電話機を並列に付加接続したファクシミリ装置において、外線からの呼出信号を検出する着呼検出器と、ダイヤルトーンを検出するダイヤルトーン検出器とを電話回線に設けるとともに、オフフック検出器、着呼検出器、ダイヤルトーン検出器とを監視して、主回線リレーを制御する制御手段とを設けて成り、制御手段は、オフフック信号を検出した後、所定時間の間は、ダイヤルトーン信号、オフフック信号の連続的寸断の有無を検出し、その間にダイヤルトーン信号を検出したときには、その後にオフフック信号の連続的寸断を検出すると、外付け電話機によるダイヤル発呼動作と判断する一方、その間にダイヤルトーン信号を検出せずに、オフフック信号の連続的寸断を検出すると、外線からの着呼と判断することを特徴としている。
【０００８】
請求項２では、外付け電話機と電話回線との間には、回線切換リレーを更に設けており、制御手段は、外線からの着呼と判断したときには、主回線リレーを閉じて、電話回線をモデムに接続する一方、回線切換リレーを開いて、外付け電話機を電話回線から切断するようにしている。
【０００９】
請求項３では、オフフック検出器、着呼検出器、ダイヤルトーン検出器は、いずれも交流信号を受けて駆動するフォトカプラで構成されていることを特徴とする。
【発明の効果】
【００１０】
請求項１〜３に記載の外付け電話機付きファクシミリ装置によれば、オフフック検出器、着呼検出器に加えてダイヤルトーン検出器を設け、ダイヤルトーン検出器のダイヤルトーン信号の有無とオフフック信号の連続的寸断とを検出しているため、外付け電話機による発呼と外部からの着呼とを間違いなく判別することができる。
【００１１】
請求項２によれば、電話機と電話回線との間に回線切換リレーを更に設け、制御手段が、外線からの着呼と判断したときには、主回線リレーを閉じて、電話回線をモデムに接続し、回線切換リレーを開いて、外付け電話機を電話回線から切断する動作を実行するため、着呼のときには外付け電話機が確実に切り離される。
【００１２】
請求項３によれば、オフフック検出器、着呼検出器、ダイヤルトーン検出器は、いずれも交流信号を受けて駆動するフォトカプラで構成されているため、構成が簡単でノイズの影響も受けにくい。
【発明を実施するための最良の形態】
【００１３】
以下に、本発明の実施の形態について、図面とともに説明する。
【実施例１】
【００１４】
図１は、本発明の外付け電話機付きファクシミリ装置の要部構成を示すブロック図である。
【００１５】
ＣＰＵなどで構成された主制御部１、モデム２、操作部３、記憶部４等を備えたファクシミリ装置１０は電話回線Ｌに接続され、電話回線Ｌは、主回線リレーＣＭＬを介在させ、更にファクシミリ通信トランスＴＲを通じてモデム２に接続されるとともに、回線切換リレーＳＷを介在させて、オフフック検出器ＯＨを付加した外付け電話機ＴＥＬ、着呼検出器ＣＩ、ダイヤルトーン検出器ＴＤを並列に接続している。
【００１６】
ここに、ファクシミリ装置１０は、ＣＰＵなどで構成された主制御部１、モデム２、操作部３、ファクシミリ装置に必要なプログラムを格納し、あるいは通信制御に必要なデータを一時的に格納する記憶部４を備えており、主制御部１は、以下に説明するファクシミリ基本動作を制御する制御手段を構成し、ファクシミリ装置の待機時には、主制御部１によって、主回線リレーＣＭＬの接点は開、回線切換リレーＳＷの接点は閉じた状態になっている。
【００１７】
本実施例では、オフフック検出器ＯＨ、着呼検出器ＣＩ、ダイヤルトーン検出器ＴＤは、いずれも交流信号を受けて駆動するフォトカプラで構成されているが、これには限定されない。
【００１８】
次に、この外付け電話機付きファクシミリ装置の基本動作について説明する。
【００１９】
１）外付け電話機ＴＥＬによる発呼動作
電話回線Ｌには待機時には４５Ｖの直流電圧が加わっており、外付け電話機ＴＥＬをオフフックすると、回線Ｌにループ電流が流れ、その結果、電話回線の電圧は約５Ｖ程度に低下する。交換機は、このループ電流によって、オフフックの状態を認識し、４００Ｈｚのダイヤルトーンを電話回線に送る。
外付け電話機ＴＥＬでは、このダイヤルトーンを確認して、ダイヤル発呼を行う。
すなわち、外付け電話機ＴＥＬによって予め設定されている１０Ｈｚまたは２０Ｈｚのダイヤルパルスを出力して、電話回線Ｌに流れているループ電流を遮断する。
このときのダイヤルパルスは、オフフック検出器ＯＨによっても検出され、主制御部１は、このときのオフフック信号が連続して、寸断されることを検出するが、本発明では、次のような判別を行うため、外付け電話機ＴＥＬがこのようなダイヤル発呼を行っている時に主回線リレーＣＭＬが閉じて、外付け電話回線Ｌを切断するようなことが防止される。
交換機は、このダイヤル発呼によるダイヤルパルスを解読すると、呼出先の電話回線Ｌに呼出信号を送出し、呼出先がこれに応答し、オフフックすると、電話回線Ｌの電圧の極性を反転させて、発呼元と呼出先とが接続されて通話がなされる。通話が終了し、外付け電話機ＴＥＬをオンフックすると、電話回線Ｌは待機時の電圧に戻る。
【００２０】
２）外線からの呼出信号に対する着呼動作
電話回線Ｌは待機時には４５Ｖの直流電圧が加わっており、交換機から１６Ｈｚの呼出信号が回線に送られて来ると、着呼検出器ＣＩがこれを検出するが、主制御部１は、着呼検出器ＣＩによる検出のみでモデム２を着信させず、オフフック検出器ＯＨ，ダイヤルトーン検出器ＴＤによる検出信号を参照して、着呼を判断して、主回線リレーＣＭＬを閉じ、回線リレーＳＷを開いている。
【００２１】
図２のステップ１０１〜１１２は、制御手段が実行する着呼、ダイヤル発呼の判別手順をフローチャートで示している。
【００２２】
主制御部１は、電話回線Ｌが待機時にあるときにオフフック検出器ＯＨによってオフフックを検出すると、その後の所定時間の間に、ダイヤルトーン信号の検出と、オフフック信号の連続的寸断動作があるかどうかを監視する（１０１、１０２）。
【００２３】
ここに、所定時間とは、外付け電話機ＴＥＬが、オフフックした後、電話回線Ｌにダイヤルトーンが送られて来るまでの遅延時間を考慮して特定され、通常はそのような遅延時間よりも十分に長い時間に設定される。
【００２４】
そして、その所定時間内にダイヤルトーンがなく、オフフック信号の連続的寸断があると、それを呼出信号の着呼と判断して、主回線リレーＣＭＬを閉じ、回線切換リレーＳＷを開いて、モデム２を着信させてファクシミリ受信を行う。ファクシミリ受信が終了すれば、主回線リレーＣＭＬを開き、回線切換リレーＳＷを閉じる（１０２１０６〜１１２）。
【００２５】
すなわち、本発明では、外付け電話機ＴＥＬがダイヤル発呼する場合には、その前に必ずオフフックになり、しかも電話回線Ｌには、ダイヤルトーンが生じる事実に着眼し、そのような原理を利用して外線着呼を判別している。
【００２６】
しかし、その所定時間内にダイヤルトーンを検出し、更に、所定時間内にオフフック信号の連続的寸断があると、それは外付け電話機ＴＥＬによるダイヤル発呼と判断して、主制御部１は何らの処理もしない。
【００２７】
したがって、主回線リレーＣＭＬ、回線切換リレーＳＷは待機状態に保持され、その結果、外付け電話機は、呼出に応答した呼出先との通話がなされ、オンフックするまで通話がなされる（１０２〜１０５）。
【００２８】
また、オフフックを検出した後、所定時間内にダイヤルトーンが検出されないとき、オフフック信号の連続的寸断が検出されない場合には、オンフックを検出して処理を終了する（１０４〜１０６）。
【図面の簡単な説明】
【００２９】
【図１】本発明の外付け電話機付きファクシミリ装置の要部構成を示すブロック図である。
【図２】本発明の外付け電話機付きファクシミリ装置の基本動作を示すフローチャートである。
【図３】従来の外付け電話機付きファクシミリ装置の要部構成を示すブロック図である。
【符号の説明】
【００３０】
１  制御手段
２  モデム
Ｌ  電話回線
ＴＤ  ダイヤルトーン検出器
ＯＨ  オフフック検出器
ＣＩ  着呼検出器
ＴＥＬ  外付け電話機
ＣＭＬ  主回線リレー
ＳＷ  回線切換リレー
【図１】
2006270153.tif 000003
【図２】
2006270153.tif 000004
【図３】
2006270153.tif 000005